【事件の表示】
　特許第６１２４６６０号発明「酸化型毛髪処理剤」の特許異議申立事件について、次のとおり決定する。
【結　論】
　特許第６１２４６６０号の請求項１ないし４に係る特許を維持する。
【理　由】
第１　手続の経緯
　特許第６１２４６６０号の請求項１ないし４に係る特許についての出願は、平成２５年４月１８日に特許出願され、平成２９年４月１４日にその特許権の設定登録がされ、その後、請求項１ないし４に係る特許に対し、平成２９年１１月９日に特許異議申立人　板倉 昭夫　により特許異議の申立てがされたものである。
第２　本件発明
　特許第６１２４６６０号の請求項１ないし４の特許に係る発明（以下それぞれ「本件発明１」ないし「本件発明４」といい、本件発明１ないし４を総称して「本件発明」という。）は、それぞれ、その特許請求の範囲の請求項１ないし４に記載された事項により特定されるとおりのものであって、そのうちの本件発明１は以下のとおりである。
（本件発明１）
「【請求項１】
　アルカリ剤が配合された第１剤と酸化剤が配合された第２剤とで構成され、上記第１剤と上記第２剤とが混合されてから染毛または毛髪の脱色に使用される酸化型毛髪処理剤であって、
　上記第１剤は、
　（ａ）一般式Ｒ−ＣＯＯＨ（ただし、Ｒは置換基を有しない炭素数が１５〜１７のアルキル基）で表される飽和脂肪酸、
　（ｂ）カチオン化セルロース、
　（ｃ）アニオン性モノマー由来の構造単位とカチオン性モノマー由来の構造単位とを含む両性高分子、および
　（ｅ）アルキルアミン塩、脂肪酸アミドアミン塩、エステル含有３級アミン塩、アーコベル型３級アミン塩、長鎖アルキルトリメチルアンモニウム塩、ジ長鎖アルキルジメチルアンモニウム塩、トリ長鎖アルキルモノメチルアンモニウム塩、ベンザルコニウム型４級アンモニウム塩およびモノアルキルエーテル型４級アンモニウム塩より選ばれる１種または２種以上のカチオン性界面活性剤が配合されていることを特徴とする酸化型毛髪処理剤。」
第３　申立理由の概要
　特許異議申立人は、下記の甲第１号証ないし甲第６号証並びに参考資料１及び２を提出し、（１）本件発明１ないし４は、甲第１号証、甲第２号証、甲第３号証又は甲第４号証に記載された発明であるから特許法第２９条第１項第３号に該当し特許を受けることができないものであり、また、（２）本件発明１ないし４は、甲第２号証ないし甲第６号証に記載された発明に基づいて当業者が容易に発明をすることができたものであって、同法同条第２項の規定により特許を受けることができないものであり、上記（１）及び（２）より本件発明１ないし４に係る特許は同法同条の規定に違反してされたものであるから同法第１１３条第２号に該当し取り消すべきものであり、本件発明４に係る特許は、（３）その特許請求の範囲が同法第３６条第６項第２号に規定する要件を満たしていない特許出願に対してされたものであり、同法第１１３条第４号に該当し取り消すべきものであり、さらに、本件発明１ないし４に係る特許は、（４）その特許請求の範囲が同法第３６条第６項第１号に規定する要件を満たしていない特許出願に対してされたものであり、また、（５）その発明の詳細な説明の記載が同法同条第４項第１号に規定する要件を満たしていない特許出願に対してされたものであり、上記（４）及び（５）より同法第１１３条第４号に該当し取り消すべきものである旨主張している（以下、上記（１）ないし（５）に係る申立理由をそれぞれ「取消理由１」ないし「取消理由５」という。）。
特許異議申立人が提出した甲第１号証ないし甲第６号証及び参考資料１及び２
甲第１号証：衛署粧輸字第０１６１６４號（以下「甲１」という。）
甲第２号証：特開２００９−２０９０８２号公報（以下「甲２」という。）
甲第３号証：特開２００８−１５０３３３号公報（以下「甲３」という。）
甲第４号証：特開２００８−１３７９５８号公報（以下「甲４」という。）
甲第５号証：特開２００７−０３９３５２号公報（以下「甲５」という。）
甲第６号証：特開２０００−２９７０１９号公報（以下「甲６」という。）
参考資料１：化粧品原材料データベース，ＭｅｒｑｕａｔＴＭ　２９５　Ｐｏｌｙｍｅｒ，株式会社マツモト交商
参考資料２：chemical-navi，ＮＩＫＫＯＬ　ＢＣ−３０（セテス−３０）
第４　各証拠の記載事項
１　甲１の記載事項
（１）甲１は、公衆に利用可能な台湾衛生福利部食品藥物管理署の医薬品・医療機器・化粧品登録許可証検索データベースによって衛署粧輸字第０１６１６４號を検索した結果を表示した画面の写しであり、「發證日期98/05/26」（当審訳：発行日付　９８年５月２６日（西暦２００９年５月２６日））と記載されていることから、甲１に記載されている技術事項は、本件特許の出願前に電気通信回線を通じて公衆に利用可能となった発明であると推認できる。
　そして、甲１には、以下の記載がある。
（甲１−１）「用途　染髪。
劑型　983膏劑　　・・・
・・・
化粧品類別　0110染髪劑
主成分略述　AMMONIA WATER(AMMONIUM HYDROXIDE),1-NAPHTHOL,P-AMINOPHENOL,P-PHENYLENEDIAMINE,2,4-DIAMINOPHENOXYETHANOL HCL(EQ TO 2,4-DIAMINOPHENOXYETHANOL DIHYDROCHLORIDE),N,N,-BIS(2-HYDROXYETHYL)-P-PHENYLENEDIAMINE SULFATE」
（当審訳：用途　染毛。
剤型　983クリーム剤　・・・
・・・
化粧品類別　0110染毛剤
主成分概要　アンモニア水（水酸化アンモニウム），１−ナフトール、ｐ−アミノフェノール、ｐ−フェニレンジアミン、塩酸２，４−ジアミノフェノキシエタノール（２，４−ジアミノフェノキシエタノール二塩酸塩に同じ）、硫酸Ｎ，Ｎ−ビス（２−ヒドロキシエチル）−ｐ−フェニレンジアミン）
（甲１−２）倣單標籤粘貼表（当審注：原文では「倣」は人偏に「方」。当審訳：能書ラベル添付表）の其他成分（当審注：原文では「分」は人偏に「分」。当審訳：その他成分）の項
「WATER,CETEARYL ALCOHOL,PEG-20,CETETH-30,PETROLATUM,STEARETH-2,BEESWAX,MINERAL OIL,MICROCRYSTALLINE WAX,STEARIC ACID,STEARTRIMONIUM CHLORIDE,STEARYL ALCOHOL,OLEIC ACID,DIGLYCERIN,DIMETHICONE,HYDROLYZED CONCHIOLIN PROTEIN,HYDROXYETHYLCELLULOSE,POLYQUATERNIUM-4,POLYQUATERNIUM-22,TAURINE,THEANINE AMMONIUM CHLORIDE,ASCORBIC ACID,SODIUM SULFITE,TRISODIUM HEDTA,FRAGRANCE」
（当審訳：水、セテアリルアルコール、ＰＥＧ−２０、セテス−３０、ペトロラタム、ステアレス−２、蜜蝋、鉱油、マイクロクリスタリンワックス、ステアリン酸、ステアルトリモニウムクロリド、ステアリルアルコール、オレイン酸、ジグリセリン、ジメチコン、コンキオリンタンパク質分解物、ヒドロキシエチルセルロース、ポリクオタニウム−４、ポリクオタニウム−２２、タウリン、テアニン、塩化アンモニウム、アスコルビン酸、亜硫酸ナトリウム、ヒドロキシエチルエチレンジアミン三酢酸三ナトリウム、香料）
（２）甲１に記載された発明
　（甲１−１）及び（甲１−２）の記載から、甲１には、
「　アンモニア水、１−ナフトール、ｐ−アミノフェノール、ｐ−フェニレンジアミン、塩酸２，４−ジアミノフェノキシエタノール、硫酸Ｎ，Ｎ−ビス（２−ヒドロキシエチル）−ｐ−フェニレンジアミン、水、セテアリルアルコール、ＰＥＧ−２０、セテス−３０、ペトロラタム、ステアレス−２、蜜蝋、鉱油、マイクロクリスタリンワックス、ステアリン酸、ステアルトリモニウムクロリド、ステアリルアルコール、オレイン酸、ジグリセリン、ジメチコン、コンキオリンタンパク質分解物、ヒドロキシエチルセルロース、ポリクオタニウム−４、ポリクオタニウム−２２、タウリン、テアニン、塩化アンモニウム、アスコルビン酸、亜硫酸ナトリウム、ヒドロキシエチルエチレンジアミン三酢酸三ナトリウム、及び香料を含む染毛剤。」
の発明（以下「甲１発明」という。）が記載されているものと認められる。
２　甲２の記載事項
（１）甲２には、以下の記載がある（下線は当審で付した。以下同様。）。
（甲２−１）「【請求項１】
　酸化染料中間体、カプラー及びアルカリ剤を含む第１剤、並びに酸化剤を含む第２剤を、使用時に混合して調製される酸化染毛剤であって、一般式（１）で示される構成単位を有する両性高分子（Ａ）を含有することを特徴とする酸化染毛剤。
【化１】
（式中、Ｒ1は水素原子、メチル基又はエチル基、Ｒ2は炭素数１〜６のアルキレン基、Ｒ3及びＲ5は炭素数１〜６のアルキル基、Ｒ4は炭素数１〜３のアルキレン基、Ｑは酸素原子又は−ＮＨ−、Ｚは−ＣＯＯ又は−ＳＯ3である。）
・・・
【請求項５】
　さらに、カチオン性界面活性剤、両性界面活性剤、カチオン性高分子及び前記（Ａ）以外の両性高分子からなる群から選ばれる１種以上を含有してなる請求項１〜４のいずれか記載の酸化染毛剤。」
（甲２−２）「【０００１】
　本発明は酸化染毛剤に関する。詳しくは、
酸化染毛料とアルカリ剤を含有する第１剤と酸化剤を含有する第２剤からなる
酸化染毛剤
・・・
【０００５】
　本発明の酸化染毛剤は、毛髪が傷つきにくく、パサパサになりにくく、染色堅牢性に優れている。」
（甲２−３）「【０００８】
　本発明の両性高分子（Ａ）は、両性単量体を重合する方法又は高分子反応による方法によって製造できる。」
（甲２−４）「【００１４】
（２）両性化反応（ベタイン化反応）；
ジアルキルアミノアルキルα−（ヒドロキシアルキル）アクリレートと一般式（３）で示される化合物（Ｂ）とを反応させて両性化する。
　　　Ｘ−Ｒ5−Ｚ-Ｍ+　　　　　　　　　　　　　　　（３）
式中、Ｒ5及びＺは一般式（１）におけると同様であり、好ましいものも同様である。
Ｘはハロゲン原子、Ｍはカチオンである。Ｘで示されるハロゲン原子としては、塩素原子、臭素原子及びヨウ素原子が挙げられる。Ｍで示されるカチオンとしては、アルカリ金属原子（ナトリウム、カリウム及びリチウムなど）カチオン、アルカリ土類金属原子（カルシウム及びマグネシウムなど）カチオン、アンモニウムカチオン、有機アミン（モノメチルアミン、モノエチルアミン及びモノブチルアミンなどのモノアルキルアミン；ジメチルアミン、ジエチルアミン及びジブチルアミンなどのジアルキルアミン；トリメチルアミン、トリエチルアミン及びトリブチルアミンなどのトリアルキルアミン；シクロヘキシルアミンなどの環状アミン；並びに、モノエタノールアミン、ジエタノールアミン及びトリエタノールアミンなどのアルカノールアミン）カチオン、及び第４級アンモニウムカチオン（テトラメチルアンモニウムカチオン、テトラエチルアンモニウムカチオン及びトリメチルベンジルアンモニウムカチオンなど）などが挙げられる。一般式（４）で示される化合物（Ｂ）の具体例としては、モノクロル酢酸ナトリウム、モノクロル酢酸カリウム、モノクロル酢酸モノエタノールアミン塩などが挙げられる。両性化反応における仕込みモル比、温度、時間及び精製方法などは、通常の方法でよく、例えば、ジアルキルアミノアルキルα−（ヒドロキシアルキル）アクリレートと一般式（４）で示される化合物との仕込みモル比（アクリレート／化合物）は、通常０．８／１〜１／１．３、好ましくは１／１〜１／１．２である。なお、反応中の重合を防止するために重合禁止剤（例えば、メチルハイドロキノン、ハイドロキノン及びフェノチアジンなど）を、アクリレートの重量に対して０．１〜３重量％添加することが好ましい。　溶剤としては、水、親水性有機溶剤（メタノール、エタノール及びイソプロパノールなどのアルコール類、アセトン及びメチルエチルケトンなどのケトン類、酢酸エチルなどのエステル類）、又は水と親水性有機溶剤との混合溶剤が使用できる。溶剤として水の使用割合が多いほど両性化反応が進行しやすい。一方、水の使用量が少なく親水性有機溶剤の使用割合が多い（例えば９０％以上）ほど副生する塩が析出し易く、副生塩の除去がし易いという利点がある。従って、工程上のコスト、及び得られる両性化物の使用目的を考慮して、溶剤の使用量や割合は適宜選択できる。反応温度は、通常は５０〜１００℃、好ましくは６０〜９０℃であり、反応時間は通常４〜３０時間、好ましくは５〜２０時間である。精製方法としては、副生塩が析出している場合は濾過、副生塩が溶解している場合は透析やイオン交換などが挙げられる。なお、反応条件、特に反応系の水分の量やｐＨによっては、副生物としてジアルキルアミノアルキルα−（ヒドロキシアルキル）アクリレートのヒドロキシル基が化合物（Ｂ）と反応してできるカルボキシアルキルエーテル化物（例えば、ジアルキルアミノアルキルα−（カルボキシメチルオキシメチル）アクリレート及びα−（カルボキシメチルオキシメチル）アクリロイルオキシエチルジメチルベタインなど）が生成することもあるが、これらの副生物は一般式（２）で示される単量体の重量に対して２０重量％未満であれば、本願発明の効果に大���な影響を与えることがない。」
（甲２−５）「【００１７】
　本発明における両性高分子（Ａ）は、前記の両性単量体（ａ）のみを重合した単独重合体であってもよいが、その他の単量体との共重合体であってもよい。その他の単量体としては、例えば、下記の（ｂ１）親水性ノニオン性ビニル単量体、（ｂ２）疎水性ノニオン性ビニル単量体、（ｂ３）アニオン性ビニル単量体、（ｂ４）カチオン性ビニル単量体、及び（ｂ５）前記の両性単量体以外の両性単量体が挙げられる。」
（甲２−６）「【００４８】
　さらに、この第１液には本発明の効果を妨げない範囲において、公知の成分を添加配合することができる。例えば、カチオン性高分子、アニオン性高分子、非イオン性高分子、両性高分子（Ａ）以外の両性高分子、界面活性剤、溶剤、炭化水素類（流動パラフィン、ワセリン等）、高級アルコール、エステル油、高級脂肪酸、シリコーン及びその誘導体、多価アルコール、紫外線吸収剤、防腐剤、増粘剤、ｐＨ調整剤、香料、パール化剤などが挙げられる。
【００４９】
　カチオン性高分子としては、ジメチルジアリルアンモニウムハライド、ジアルキルアミノアルキル（メタ）アクリレート、ビニルピロリドン又はこれらの４級化物を構成単位として含む水溶性カチオン性高分子、カチオン化セルロース誘導体、カチオン性澱粉、並びにカチオン化グアーガム誘導体などが挙げられる。
・・・
【００５２】
　両性高分子（Ａ）以外の両性高分子としては、ジアルキルアミノアルキル（メタ）アクリレートなどと（メタ）アクリル酸などとの共重合体、並びにジアルキルアミノアルキル（メタ）アクリレートを他の非イオン性単量体と共重合してハロゲン化酢酸で両性化した高分子などが挙げられる。」
（甲２−７）「【００５３】
　界面活性剤としては、アニオン性界面活性剤、カチオン性界面活性剤、非イオン性界面活性剤及び両性 界面活性剤が挙げられる。
・・・
【００５５】
　カチオン性界面活性剤の具体例としては、塩化ラウリルトリメチルアンモニウム、塩化ステアリルトリメチルアンモニウム、塩化アルキルトリメチルアンモニウム、塩化ジステアリルジメチルアンモニウム、臭化セチルトリメチルアンモニウム、臭化ステアリルトリメチルアンモニウム、エチル硫酸ラノリン脂肪酸アミノプロピルエチルジメチルアンモニウム、ステアリルトリメチルアンモニウムサッカリン、セチルトリメチルアンモニウムサッカリン等が挙げられる。
【００５６】
　非イオン性界面活性剤の具体例としては、ポリオキシエチレンアルキルエーテル類、ポリオキシエチレンアルキルフェニルエーテル類、ポリオキシエチレンプロピレンアルキルエーテル類、ポリオキシエチレン脂肪酸類、ポリオキシエチレンソルビタン脂肪酸エステル類、グリセリン脂肪酸エステル、ソルビタン脂肪酸エステル、ポリグリセリン脂肪酸エステル、ショ糖脂肪酸エステル、アルキルポリグリコシド、Ｎ−アルキルジメチルアミンオキシド等が挙げられる。これらの中でも酸やアルカリ剤に強いことからポリオキシエチレンアルキルエーテル類、ポリオキシエチレンアルキルフェニルエーテル類、ポリオキシエチレンソルビタン脂肪酸エステル類等が好ましい。ポリオキシエチレンアルキルエーテル類の具体例としては、ポリオキシエチレンラウリルエーテル、ポリオキシエチレンセチルエーテル及びポリオキシエチレンステアリルエーテル等が挙げられる。」
（甲２−８）「【００６０】
　炭化水素類としては、流動パラフィン、流動イソパラフィン、軽質流動イソパラフィン、マイクロクリスタ燐ワックス及びワセリン等が挙げられる。高級アルコールとしては、炭素数１０〜２４の飽和もしくは不飽和アルコール、例えばラウリルアルコール、ミリスチルアルコール、セタノール、ステアリルアルコール、オレイルアルコール及びラノリンアルコールなどが挙げられる。エステル油としては、アジピン酸ジイソブチル、アジピン酸ジオクチル、ラウリン酸ヘキシル及びミリスチン酸イソプロピルなどが挙げられる。高級脂肪酸としては、炭素数１０〜２４の飽和もしくは不飽和脂肪酸、例えばラウリン酸、ミリスチン酸、ステアリン酸、イソステアリン酸、オレイン酸、リノール酸及びリシノール酸などが挙げられる。シリコーン及びその誘導体としては、ジメチルポリシロキサン、メチルフェニルポリシロキサン、ポリエーテル変性シリコーン、及びアミノ変性シリコーンなどが挙げられる。」
（甲２−９）「【００６８】
［実施例］
　以下の製造例及び実施例により本発明を更に説明するが本発明はこれに限定されるものではない。部及び％は特記しない限り重量部および重量％を意味する。
【００６９】
＜両性単量体（ａ−１）の製造例＞
［ジメチルアミノエチル（α−ヒドロキシメチル）アクリレートのカルボキシベタイン化物の製造］；
　加熱撹拌装置および冷却器を備えたガラス製反応容器に、ジメチルアミノエチルアクリレート（以下、「ＤＭＡＥＡ」と略記）１４３部（１．０モル部；興人株式会社製）、３７％ホルムアルデヒド水溶液（メタノール含有量７％）７８．４部（１．０モル部）及び１，４−ジアザビシクロ［２，２，２］オクタン（以下、ＤＡＢＣＯと略記）７部（６３ミリモル部；サンアプロ株式会社製）を仕込み、均一混合した後、２８℃で４８時間激しく攪拌して反応させた。この反応液に１Ｎ塩酸を加えてｐＨを５．８に調整した後、ジクロルメタン１００ｍＬで３回抽出し、有機相を飽和食塩水１００ｍＬで洗浄し、硫酸ナトリウムで乾燥した後、揮発成分を減圧で除去した。１３２部の
ジメチルアミノエチル（α−ヒドロキシメチル）アクリレート（以下、「ＯＨ−ＤＭＡＥＡ」と略記）
ＯＨ−ＤＭＡＥＡのベタイン化物からなる両性単量体（ａ−１）
【００７０】
製造例１：
　加熱冷却装置、攪拌機、温度計、２つの滴下ロートを装着した反応フラスコに、水７６部及びイソプロピルアルコール１８０部を仕込み、一つの滴下ロートに両性単量体（ａ−１）の５０％イソプロピルアルコール溶液１５７部（０．３４モル部）、
アクリルアミド（以下、ＡＡｍと略記）
ヒドロキシエチルメタクリレート（以下、ＨＥＭＡと略記）
８０℃以下で減圧下にイソプロピルアルコールと水の混合物を、系内のイソプロピルアルコールが無くなるまで留去し、全量が８００部になるように水を加えて有効成分濃度を１５重量％に調整し、
（ａ−１）／ＡＡｍ／ＨＥＭＡ＝４２／４９／９モル％からなる両性高分子（Ａ１）の有効成分１５重量％水溶液
（甲２−１０）「【００７７】
実施例１〜６及び比較例１〜３：
酸化染毛剤は、以下のようにして調製した。
【００７８】
第１剤：
　
両性高分子（Ａ１）
を有効成分換算で１部
；酸化染料中間体としてのｐ−フェニレンジアミンを０．４部とｐ−アミノフェノールを０．１部；カプラーとしてのレゾルシンを０．６部、アルカリ剤としてのモノエタノールアミンを４．８部と２８％アンモニア水を１．５部；溶剤としてのプロピレングリコールを５．５部；非イオン性高分子としてのポリエチレングリコール（数平均分子量４００）を１．５部；流動パラフィンを０．８部；セタノールを１．０部；精製水を残量加えて、全量を１００部とし、攪拌混合して第１剤とした
【００７９】
第２剤：
　
酸化剤としての３５％過酸化水素を１５部；セタノールを１．５部；ポリオキシエチレン（１０モル）ラウリルエーテルを１．０部；塩化ラウリルトリメチルアンモニウムを０．５部；精製水を残量加えて、全量を１００部とし、攪拌混合して、さらにｐＨが３．３になるように微量のクエン酸を添加し、第２剤とした
（２）甲２に記載された発明
　（甲２−１）ないし（甲２−１０）、特に実施例１の記載から、甲２には、
「　酸化染毛料とアルカリ剤を含有する第１剤と酸化剤を含有する第２剤からなる酸化染毛剤であって、
　第１剤は、ジメチルアミノエチル（α−ヒドロキシメチル）アクリレートのベタイン化物からなる両性単量体／アクリルアミド／ヒドロキシエチルメタクリレート＝４２／４９／９モル％からなる両性高分子（Ａ１）の有効成分１５重量％水溶液を有効成分換算で１部；酸化染料中間体としてのｐ−フェニレンジアミンを０．４部とｐ−アミノフェノールを０．１部；カプラーとしてのレゾルシンを０．６部、アルカリ剤としてのモノエタノールアミンを４．８部と２８％アンモニア水を１．５部；溶剤としてのプロピレングリコールを５．５部；非イオン性高分子としてのポリエチレングリコール（数平均分子量４００）を１．５部；流動パラフィンを０．８部；セタノールを１．０部；精製水を残量加えて、全量を１００部とし、攪拌混合したものであり、
　第２剤は、酸化剤としての３５％過酸化水素を１５部；セタノールを１．５部；ポリオキシエチレン（１０モル）ラウリルエーテルを１．０部；塩化ラウリルトリメチルアンモニウムを０．５部；精製水を残量加えて、全量を１００部とし、攪拌混合して、さらにｐＨが３．３になるように微量のクエン酸を添加したものである、
酸化染毛剤。」
の発明（以下「甲２発明」という。）が記載されているものと認められる。
３　甲３の記載事項
（１）甲３には、以下の記載がある。
（甲３−１）「【０００１】
　本発明は、毛髪化粧料に関するものである。詳細には、毛髪に対してべたつかず、柔軟性を付与でき、かつ毛髪（特に毛先）のまとまり感に優れた、トリートメント剤、スタイリング剤、整髪剤、染毛剤、ブリーチ剤、パーマネントウェーブ剤、育毛剤、及び養毛剤など、浴室外で毛髪を乾いた状態で使用し、塗布直後に洗い流さないタイプ（リーブオンタイプ）の所謂アウトバスタイプの毛髪化粧料に関するものである。」
（甲３−２）「【０００５】
　本発明により（Ａ）
一般式（I）で表される短鎖アルキルエーテル型エステル基含有モノ長鎖第４級アンモニウム塩、および一般式（II）で表される短鎖アルキルエーテル型エステル基含有ジ長鎖第４級アンモニウム塩からなる群から選ばれる１種以上と、低級アルコールとを含有する
毛髪化粧料
【０００６】
【化１】
【０００７】
（式中、R
1
, R
5
は、夫々エステル基を1つ含む総炭素数１０〜２６のアルキル基又はアルケニル基を表し、R
2
は、メチル基、エチル基、炭素数１〜４のヒドロキシアルキル基又はC
p
H
2p
OR
3
で表される基を表し、ｐ＝２〜４の整数であり、R
3
, R
4
は、夫々独立してメチル基又はエチル基を表す。）
【発明の効果】
【０００８】
　本発明によれば、毛髪に対してべたつかず、柔軟性を付与でき、かつ毛髪のまとまり感に優れた洗い流さないタイプ（リーブオンタイプ）の毛髪化粧料が提供される。」
（甲３−３）「【００３０】
　本発明の毛髪化粧料は、更に、カチオン性界面活性剤を含有することができる。
　本発明で用いることのできる（A）成分及び（B）成分以外のカチオン性界面活性剤としては、脂肪族アミンおよびその４級アンモニウム塩、脂肪酸アミドアミン塩、アルキルトリアルキレングリコールアンモニウム塩、アシルグアニジン誘導体、モノ−Ｎ−長鎖アシル塩基性アミノ酸低級アルキルエステル塩などのアミノ酸系カチオン性界面活性剤、アルキルベンザルコニウム塩、アルキルピリジニウム塩、イミダゾリニウム塩等が挙げられる。」
（甲３−４）「【００３８】
　本発明の毛髪化粧料は、更に、水溶性高分子化合物を含有することができる。
　水溶性高分子化合物としては、アニオン性高分子化合物、非イオン性高分子化合物、カチオン性残基を有する両性又はカチオン性高分子化合物が挙げられる。・・・
【００３９】
 ・・・
　カチオン性高分子化合物としては、官能基がジメチルジアリルアンモニウムハライドである塩化ジメチルジアリルアンモニウムホモポリマー、塩化ジメチルジアリルアンモニウム・アクリルアミド共重合体、塩化ジメチルジアリルアンモニウム・アクリル酸共重合体、塩化ジメチルジアリルアンモニウム・アクリルアミド・アクリル酸３元共重合体（カルゴン社、マーコートシリーズ）等が挙げられる。さらに、カチオン化セルロース、カチオン化グアーガム、カチオン化デキストラン、カチオン化プルラン、四級化ビニルピロリドン・アミノエチルメタクリレート共重合体、ポリエチレンイミン、ジプロピレントリアミン縮合物、アジピン酸ジメチル−アミノヒドロキシプロピルジエチルトリアミン共重合体、第四級窒素含有スターチ等の他、カチオン化加水分解ケラチン、カチオン化加水分解シルク、カチオン化加水分解コラーゲン、カチオン化加水分解小麦、シリコーン化加水分解コラーゲン、シリコーン化加水分解シルクのタンパク加水分解にカチオン基を導入したもの等が挙げられる。」
（甲３−５）「【００４１】
　本発明の毛髪化粧料には、上記成分以外に、通常の毛髪化粧料に用いられている成分、例えば、アニオン性界面活性剤、両性界面活性剤、半極性非イオン性界面活性剤、およびノニオン性界面活性剤、油脂、高級アルコール、ステロール、有機酸、防腐剤、酸化防止剤、キレート剤、ｐＨ調整剤、香料、色素、紫外線吸収・散乱剤、ビタミン類、アミノ酸類、水（５質量％〜９５質量％）等を適宜必要に応じて更に配合することができる。毛髪化粧料に添加される任意成分は、前述のものに限定されるものではない。
・・・
【００４５】
　ノニオン性界面活性剤としては、ポリオキシエチレングリコール脂肪酸エステル、ポリオキシエチレン脂肪酸モノエタノールアミド、ポリオキシエチレン硬化ヒマシ油、ポリオキシエチレンソルビタン脂肪酸エステル、ポリグリセリン脂肪酸エステル、ポリオキシエチレンアルキルエーテル、ポリオキシエチレンポリオキシプロピレングリコール、脂肪酸モノエタノールアミド等が挙げられる。中でもポリエチレングリコールモノステアレート、モノラウリン酸デカグリセリル、ベヘニン酸モノグリセリル、ポリオキシエチレンラウリルエーテル、モノステアリ酸ポリエチレングリコール、ポリオキシエチレンラウリン酸モノエタノールアミド、ポリオキシエチレンステアリルエーテル、ポリオキシエチレンベヘニルエーテル、ポリオキシエチレン（１６０）ポリオキシプロピレン（３０）グリコール等が好ましい。その他に、ヤシ油脂肪酸アルカノールアミド、ショ糖脂肪酸エステル、アルキルグリコシド、アルキルグリセリルグリコシド、メチルグルコシド脂肪酸エステル、脂肪酸モノエタノールアミド等が挙げられる。
・・・
【００４７】
　高級アルコールとしては、Ｃ６−４０、好ましくはＣ１４〜２４の直鎖又は分岐アルキルアルコール、具体的には、カプリルアルコール、デシルアルコール、ラウリルアルコール、ミリスチルアルコール、セチルアルコール、ステアリルアルコール、アラキジルアルコール、ベヘニルアルコール、エイコサノール、イソステアリルアルコール、オレイルアルコール、２−エチルヘキシルアルコール、２−オクチルドデカノール、イソステアリルアルコール、リノリルアルコール、リノレニルアルコールが挙げられる。このうち、セチルアルコール、ステアリルアルコール、ベヘニルアルコール、エイコサノール、イソステアリルアルコール、オレイルアルコールが好ましい。
・・・
【００４８】
　有機酸としては、酢酸、カプリル酸、カプリン酸、ラウリン酸、ミリスチン酸、パルミチン酸、ステアリン酸、ベヘニン酸、イソパルミチン酸、イソノナン酸、イソオクタン酸、セバシン酸、アジピン酸、ネオペンタン酸、オレイン酸、オクタン酸、イソステアリン酸、エルカ酸、エイコセン酸、ヒドロキシステアリン酸、リノール酸、イノシン酸、エライジン酸、ペトロセリニン酸、リノレン酸、エレオステアリン酸、アラキン酸、ガドレイン酸、エルシン酸、ブラシジン酸、ロジン酸、ヤシ油脂肪酸、ラノリン脂肪酸、ホホバ油脂肪酸、（Ｃ１０−４０）分岐アルキル脂肪酸、パーフルオロ脂肪酸、キシレンスルホン酸、パントテン酸、ドデシルベンゼンスルホン酸、ココアンホ酢酸、アルキルスルホン酸、没食子酸、没食子酸−３、５ジグルコシド、没食子酸−３、４ジグルコシド、没食子酸メチル−３、５ジグルコシド、没食子酸ブチル−３、５ジグルコシド、没食子酸−３、５ジマンノシド、エデト酸、ソルビン酸、安息香酸、サリチル酸、アクリル酸、メタクリル酸、ピロリドンカルボン酸、ポリオキシエチレンアルキルエーテル硫酸、ラウリルアミノプロピオン酸、ココイルアミノプロピオン酸のほか、α−ヒドロキシ酸であるグリコール酸、乳酸、リンゴ酸、クエン酸、酒石酸、マンデル酸等が挙げられる。
　中でも分子内に水酸基を有するα−ヒドロキシ酸が好ましく、グリコール酸、乳酸、リンゴ酸、クエン酸、酒石酸、マンデル酸がさらに好ましい。
　上記有機酸は、唯１種を含有することも出来るし、異なる２種以上を組み合わせて含有することも出来る。本発明の有機酸の配合量は、毛髪化粧料中０．００１〜１０質量％が好ましく、０．０１〜５質量％がより好ましい。０．０１質量％未満では、仕上がり時のなめらかさが十分ではない場合があり、５質量％を超えると、乳化物の安定化を妨げる場合がある。」
（甲３−６）「【００５２】
　本発明の毛髪化粧料は、例えば、液状、クリーム状、ワックス状、ジェル状、泡状、霧状等の各種形状に調製して利用でき、上記成分及び水（残部）を混合し、各剤系の常法に準じて調製することができる。さらに、本発明に係る毛髪化粧料は、洗い流さないタイプのヘアトリートメント、ヘアウォーター、ヘアオイル、ヘアクリーム、ヘアワックス、ヘアフォーム、ヘアスプレー、ヘアミスト等として利用できる。これらの中でヘアトリーメントが最も好ましい。また、泡沫生成エアゾール型として使用する場合、配合する噴射剤としては、例えば液化石油ガス、窒素ガス、二酸化炭素ガス等を使用することができる。塗布後に洗い流さないトリートメント剤、スタイリング剤、整髪剤、染毛剤、ブリーチ剤、パーマネントウェーブ剤、育毛剤、及び養毛剤などの毛髪化粧料に用いることができる。」
（２）甲３に記載された発明
　（甲３−１）ないし（甲３−６）の記載から、甲３には、
「　下記一般式（I）で表される短鎖アルキルエーテル型エステル基含有モノ長鎖第４級アンモニウム塩、及び一般式（II）で表される短鎖アルキルエーテル型エステル基含有ジ長鎖第４級アンモニウム塩からなる群から選ばれる１種以上と、低級アルコールとを含有する毛髪化粧料。
（式中、R1, R5は、夫々エステル基を1つ含む総炭素数１０〜２６のアルキル基又はアルケニル基を表し、R2は、メチル基、エチル基、炭素数１〜４のヒドロキシアルキル基又はCpH2pOR3で表される基を表し、ｐ＝２〜４の整数であり、R3, R4は、夫々独立してメチル基又はエチル基を表す。）」
の発明（以下「甲３発明」という。）が記載されているものと認められる。
４　甲４の記載事項
（１）甲４には以下の記載がある。
（甲４−１）「【０００１】
　本発明は、染毛剤組成物に関するものであり、詳しくは酸化剤を含む染毛用第２剤組成物と混合して用いる酸化染料中間体を含む染毛用第１剤組成物であり、毛髪に均一な染まりと高い明度を与えることができ、しかも毛髪になめらかな感触を付与できる酸化型染毛剤を構成できる染毛用第１剤組成物に関するものである。
・・・
【０００５】
　ところで、酸化型染毛剤には、その第１剤にアルカリ剤が配合されているため、染毛処理を施した毛髪は、このアルカリ剤により損傷を受け、毛髪が本来持つなめらかで柔らかい感触や艶が失われ易い。特に、繰り返し染毛処理を行った毛髪に再度染毛処理を施すと、上記の現象はより顕著となる。
・・・
【０００７】
　本発明は上記事情に鑑みてなされたものであり、その目的は、染毛力が高く、しかも染毛処理後の毛髪になめらかな感触を保持させ得る酸化型染毛剤を構成できる染毛用第１剤組成物を提供することにある。」
（甲４−２）「【０００８】
　上記目的を達成し得た本発明の染毛用第１剤組成物は、酸化剤を配合してなる染毛用第２剤組成物と混合して酸化型染毛剤とするための組成物であって、（Ａ）酸化染料中間体、（Ｂ）下記一般式（１）または（２）で示されるリン酸系アニオン性界面活性剤の少なくとも１種、および（Ｃ）カチオン性高分子を配合してなり、上記（Ｂ）成分の配合量に対する上記（Ｃ）成分の配合量の質量比（Ｃ）／（Ｂ）が、０．００５〜１００であることを特徴とするものである。
【０００９】
【化１】
【００１０】
［上記一般式（１）中、Ｒ１およびＲ２は、同一でも異なっていてもよく、炭素数８〜２４の直鎖状アルキル基またはナトリウムを表す。］
【００１１】
【化２】
【００１２】
［上記一般式（２）中、Ｒ３は、炭素数８〜２４の直鎖状アルキル基を表わし、ｎは５〜２０の中から選ばれる整数である。］
【００１３】
　本発明の染毛用第１剤組成物に係る上記（Ａ）成分、（Ｂ）成分および（Ｃ）成分のうち、（Ｂ）成分である上記一般式（１）または（２）で示されるリン酸系アニオン性界面活性剤（以下、単に「リン酸系アニオン性界面活性剤」という場合がある）は、染毛用第１剤組成物と、酸化剤を配合してなる染毛用第２剤組成物とを混合して得られる酸化型染毛剤において、その染毛力を高めて、毛髪をより均一に染めることができるようにし、また染毛処理後の毛髪に高い明度を付与できるようにする作用を有する成分である。
【００１４】
　なお、（Ｂ）成分のリン酸系アニオン性界面活性剤は、アニオン性を呈するものであり、カチオン性を呈する材料と共存させるとコンプレックスを形成する。本発明者らは鋭意検討を重ねた結果、カチオン性を呈する材料の中でも（Ｃ）成分のカチオン性高分子を用いた場合に、（Ｂ）成分のリン酸系アニオン性界面活性剤と共存させて形成されるコンプレックスによって、染毛処理後の毛髪の感触を、毛髪自身が本来有するなめらかな感触にできることを見出し、本発明を完成するに至った。」
（甲４−３）「【００１５】
　本発明によれば、染毛力が高く、しかも染毛処理後の毛髪になめらかな感触を保持させ得る酸化型染毛剤を構成できる染毛用第１剤組成物を提供することができる。」
（甲４−４）「【００２０】
　染毛用第１剤組成物にかかる（Ｃ）成分のカチオン性高分子としては、例えば、４級化セルロース（塩化Ｏ−［２−ヒドロキシ−３−（トリメチルアンモニオ）プロピル］ヒドロキシエチルセルロースなど）、塩化Ｏ−［２−ヒドロキシ−３−（トリメチルアンモニオ）プロピル］グアーガム、ビニルピロリドン・Ｎ，Ｎ−ジメチルアミノエチルメタクリル酸共重合体ジエチル硫酸塩、ポリ塩化ジメチルメチレンピペリジニウム、ジアリル４級アンモニウム塩を構成単位として含有する高分子（塩化ジメチルジアリルアンモニウム・アクリルアミド共重合体、アクリルアミド・アクリル酸・塩化ジメチルジアリルアンモニウム共重合体など）、アクリル酸・アクリルアミド・メタクリルアミドプロピルトリモニウムクロリド、カチオン化澱粉、カチオン化ポリペプタイドなどが挙げられる。
【００２１】
　なお、上記例示のカチオン性高分子は市販品を入手することが可能であるが、例えば、塩化Ｏ−［２−ヒドロキシ−３−（トリメチルアンモニオ）プロピル］ヒドロキシエチルセルロースとしては、Ｅｍｅｒｃｈｏｌ社製の「Ｕｃａｒｅ　Ｐｏｌｙｍｅｒ　ＪＲ−３０Ｍ（商品名）」などが、塩化Ｏ−［２−ヒドロキシ−３−（トリメチルアンモニオ）プロピル］グアーガムとしては、Ｍｅｙｈａｌｌ社製の「ＪＡＧＵＡＲ　Ｃ−１７（商品名）」などが、ビニルピロリドン・Ｎ，Ｎ−ジメチルアミノエチルメタクリル酸共重合体ジエチル硫酸塩としては、ＩＳＰ社製の「ＧＡＦＱＵＡＴ　７３４（商品名）」などが、ポリ塩化ジメチルメチレンピペリジニウムとしては、カルゴン社製の「Ｍｅｒｑｕａｔ１００（商品名）」などが、塩化ジメチルジアリルアンモニウム・アクリルアミド共重合体としては、カルゴン社製の「Ｍｅｒｑｕａｔ２８０（商品名）」や「Ｍｅｒｑｕａｔ５５０（商品名）」などが、アクリルアミド・アクリル酸・塩化ジメチルジアリルアンモニウム共重合体としては、カルゴン社製の「Ｍｅｒｑｕａｔ３３３０（商品名）」などが、アクリル酸・アクリルアミド・メタクリルアミドプロピルトリモニウムクロリドとしては、カルゴン社製の「Ｍｅｒｑｕａｔ２００３（商品名）」などが、それぞれ知られている。
【００２２】
　カチオン性高分子は、上記例示のものを１種単独で用いてもよく、２種以上を併用してもよい。中でも、ジアリル４級アンモニウム塩を構成単位として含有する高分子および／または４級化セルロースを用いることが好ましく、この場合には、染毛処理後の毛髪の毛先がしっとりとおさまるようになる。」
（甲４−５）「【００２５】
　染毛用第１剤組成物には、上記（Ａ）成分、上記（Ｂ）成分、および上記（Ｃ）成分以外に、（Ｄ）カチオン性界面活性剤を配合することが好ましい。カチオン性界面活性剤を併用することで、染毛処理後の毛髪の感触を更に向上させることができる。
【００２６】
　（Ｄ）成分であるカチオン性界面活性剤としては、例えば、塩化ラウリルトリメチルアンモニウム、塩化セチルトリメチルアンモニウム、塩化ステアリルトリメチルアンモニウム、臭化ラウリルトリメチルアンモニウム、臭化セチルトリメチルアンモニウム、臭化ステアリルトリメチルアンモニウムなどのモノアルキル型４級アンモニウム塩；塩化ジステアリルジメチルアンモニウム、塩化ジココイルジメチルアンモニウム、塩化ジセチルジメチルアンモニウムなどのジアルキル型４級アンモニウム塩；塩化ベンザルコニウム、塩化ステアリルジメチルベンジルアンモニウムなどのベンザルコニウム型４級アンモニウム；などが挙げられる。これらのカチオン性界面活性剤は、１種単独で使用してもよく、２種以上を併用してもよい。」
（甲４−６）「【００３１】
　更に、染毛用第１剤組成物には、本発明の効果を妨げない範囲で、必要に応じて、通常の化粧料に配合されている各種の添加剤を配合することができる。このような添加剤としては、例えば、（Ｂ）成分および（Ｄ）成分以外の界面活性剤、（Ｃ）成分以外の高分子、アルコール類、油脂、エステル、炭化水素、脂肪酸、多価アルコール、金属イオン封鎖剤、酸化防止剤、ｐＨ調整剤、香料などが挙げられる。
【００３２】
　（Ｂ）成分および（Ｄ）成分以外の界面活性剤としては、例えば、ポリオキシエチレンセチルエーテル、ポリオキシエチレンポリオキシプロピレンラウリルエーテル、モノラウリン酸ポリエチレングリコール、自己乳化型モノステアリン酸エチレングリコール、ポリオキシエチレン（２０）ステアリン酸ソルビタン、ポリオキシエチレン硬化ヒマシ油、イソステアリン酸ポリオキシエチレン（３）ソルビット、自己乳化型モノステアリン酸グリセリン、モノステアリン酸ソルビタン、モノステアリン酸ポリ（２〜１０）グリセリル、ショ糖脂肪酸エステルなどの非イオン性界面活性剤・・・が挙げられる。
【００３３】
　・・・
　アルコール類としては、例えば、エチルアルコール、イソプロピルアルコール、ブチルアルコール、ベンジルアルコールなどの低級アルコール；ラウリルアルコール、ミリスチルアルコール、セチルアルコール、ステアリルアルコール、オレイルアルコール、ベヘニルアルコールなどの高級アルコール；が挙げられる。
【００３４】
　・・・脂肪酸としては、例えば、ラウリン酸、ミリスチン酸、パルミチン酸、ステアリン酸、ベヘニン酸、オレイン酸、イソステアリン酸、１２−ヒドロキシステアリン酸、ウンデシレン酸などが挙げられる。」
（甲４−７）「【００５０】
　以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。なお、以下の表１、表２および表３では染毛用第１剤組成物全体で１００％となるように、また表４では染毛用第２剤組成物全体で１００％となるように、それぞれ各成分の配合量を％で示すが、その％はいずれも質量％であり、また、これらの表中ではその％の表示を省略し、配合量を表す数値のみで表示する。
・・・
【００５３】
【表２】
・・・
【００５５】
　表１〜表３において、精製水の欄の「計１００とする」とは、染毛用第１剤組成物を構成する精製水以外の各成分の合計量に、精製水の量を加えて１００％となるようにしたことを意味している。また、表１〜表３中、
「ポリマーＪＲ−３０Ｍ」は、Ｅｍｅｒｃｈｏｌ社製の塩化Ｏ−［２−ヒドロキシ−３−（トリメチルアンモニオ）プロピル］ヒドロキシエチルセルロース「Ｕｃａｒｅ　Ｐｏｌｙｍｅｒ　ＪＲ−３０Ｍ（商品名）」
「Ｍｅｒｑｕａｔ２８０」は、カルゴン社製の塩化ジメチルジアリルアンモニウム・アクリルアミド共重合体「Ｍｅｒｑｕａｔ２８０（商品名）」
【００５６】
　実施例１〜１７および比較例１〜２の
染毛用第１剤組成物と
染毛用第２剤組成物とを混合して酸化型染毛剤
【００５７】
【表４】
　　　　　　　　　　　　　　　　　　　　　　　　　　　　　」
（２）甲４に記載された発明
　（甲４−１）ないし（甲４−７）、特に実施例１５の記載から、甲４には、
「　染毛用第１剤組成物と染毛用第２剤組成物とを混合して得られる酸化型染毛剤であって、
　染毛用第１剤組成物は、パラフェニレンジアミン０．３質量％、５−アミノオルトクレゾール０．３質量％、リン酸ジセチル０．０５質量％、Ｍｅｒｑｕａｔ２８０（商品名）１質量％、Ｕｃａｒｅ　Ｐｏｌｙｍｅｒ　ＪＲ−３０Ｍ（商品名）０．１質量％、塩化セチルトリメチルアンモニウム１質量％、ステアリルアルコール９質量％、パラフィン９質量％、ポリオキシエチレンセチルエーテル４質量％、ジエチレントリアミン五酢酸０．３質量％、アンモニア水（２５％濃度）５質量％、精製水を加えて１００質量％となるようにしたものであり、
　染毛用第２剤組成物は、過酸化水素（３５％濃度）６質量％、セチルアルコール２．５質量％、ポリオキシエチレンセチルエーテル１．１質量％、流動パラフィン０．３質量％、ヒドロキシエタンジホスホン酸０．１２質量％、フェノキシエタノール０．０１質量％、精製水を加えて１００質量％となるようにしたものである、
酸化型染毛剤。」
の発明（以下「甲４発明」という。）が記載されているものと認められる。
５　甲５の記載事項
（１）甲５には以下の記載がある。
（甲５−１）「【０００１】
　本発明は、２剤式酸化染毛・脱色剤組成物に関するものであり、特に毛髪に対するコンディショニング効果に優れ、しかも頭皮刺激性を低減した２剤式酸化染毛・脱色剤組成物に関するものである。
・・・
【００１０】
　本発明はこうした状況の下でなされたものであり、その目的は、毛髪の染色力（若しくは脱色力）に優れ、染毛〈脱色〉後のすすぎ時、仕上がり後のしっとり感、櫛通り等のコンディショニング効果に優れ、しかも頭皮刺激を緩和できる２剤式酸化染毛・脱色剤組成物を提供することにある。」
（甲５−２）「【００１１】
　上記目的を達成することができた本発明の２剤式酸化染毛・脱色剤組成物とは、
少なくともアルカリ剤を含有する第１剤と、少なくとも酸化剤を含有する第２剤から構成される２剤式酸化染毛
剤組成物
・・・
【００１５】
　本発明では、少なくともアルカリ剤を含有する第１剤と、少なくとも酸化剤を含有する第２剤から構成される２剤式酸化染毛・脱色剤組成物において、塩化ジメチルジアリルアンモニウム重合体および／または塩化ジメチルジアリルアンモニウム・アクリル酸共重合体と共に、フィチン酸またはその塩を、第１剤および第２剤の少なくともいずれかに配合することによって、毛髪の染色力（若しくは脱色力）に優れ、染毛〈脱色〉後のすすぎ時、仕上がり後のしっとり感、櫛通り等のコンディショニング効果に優れ、しかも頭皮刺激を緩和できる２剤式酸化染毛・脱色剤組成物が実現できた。」
（甲５−３）「【００１９】
　本発明の２剤式酸化染毛・脱色剤組成物では、塩化ジメチルジアリルアンモニウム重合体および／または塩化ジメチルジアリルアンモニウム・アクリル酸共重合体を含有するものであるが、これらの成分はコンディショニング成分として知られているカチオン化ポリマーの一種である。本発明では、カチオン化ポリマーのうち特に塩化ジメチルジアリルアンモニウム重合体および／または塩化ジメチルジアリルアンモニウム・アクリル酸共重合体を選び、これにフィチン酸を併用することによって、本発明の目的が達成される。このカチオン化ポリマーによる効果を有効に達成するためには、第１剤と第２剤の混合時に、その含有量は０．０１〜５質量％程度が好ましい。より好ましくは、０．１〜３質量％程度である。
【００２０】
　尚、本発明の２剤式染毛・脱色剤組成物において、塩化ジメチルジアリルアンモニウム重合体および／または塩化ジメチルジアリルアンモニウム・アクリル酸共重合体並びにフィチン酸は、２剤式染毛・脱色剤組成物の第１剤または第２剤のいずれかに含有させても良く、また第１剤と第２剤の両方に含有させることも可能である。第２剤だけに含有させた場合であっても、使用時に第１剤と第２剤が混合して用いられるものであるので、これらの成分を配合することによる効果が達成される。但し、これらの成分を第１剤と第２剤の両方に配合する場合には、その含有量は双方の合計で上記の範囲内となるように調整すれば良い。」
（甲５−４）「【００２２】
　本発明の２剤式酸化染毛・脱色剤組成物には、アニオン性界面活性剤とカチオン化ポリマーがコンプレックスを形成することにより、毛髪への付着性が高まるという観点から、更に、アニオン界面活性剤および／または脂肪酸類若しくは塩を含有させることもできる。こうした成分を含有させるときには、その含有量は０．０１〜５質量％程度であることが好ましい。尚、本発明で用いることのできるアニオン界面活性剤としては、特に限定されるものではなく、例えば脂肪酸塩、アルキル硫酸エステル塩（例えば、ラウリル硫酸ナトリウム、テトラデセンスルホン酸ナトリウム等）、アルキルベンゼンスルホン酸塩、ポリオキシエチレンアルキル硫酸塩、ポリオキシエチレン脂肪アミン硫酸塩、アシルＮ−メチルタウリン塩、アルキルエーテルリン酸エステル塩、Ｎ−アシルアミノ酸塩等が挙げられる。また本発明で用いることのできる脂肪酸類としては、ステアリン酸、オレイン酸、パルミチン等が挙げられる。また、脂肪酸塩類としては、ステアリン酸ナトリウム、オレイン酸ナトリウム、パルミチン酸ナトリウム等が挙げられる。」
（甲５−５）「【００２４】
　本発明の２剤式酸化染毛・脱色剤組成物には、第１剤に少なくともアンモニア水やモノエタノールアミン等のアルカリ剤［染毛剤の場合には、更に酸化染料（例えば、パラフェニレンジアミン、パラアミノフェノール、レゾルシン等）］を含有（例えば、モノエタノールアミンなら０．１質量％以上）すると共に、第２剤に少なくとも過酸化水素等の酸化剤を含有（例えば、過酸化水素なら６質量％以下）するものであるが、上記成分の他、これら第１剤および第２剤に通常含まれる添加剤を含むものであって良い。こうした添加剤としては、例えば保湿剤、油脂類、高級アルコール類、ラノリン類、ワセリン・ワックス類、フッ素化合物、シリコーン類、カチオン化ポリマー（上記したものを除く）、界面活性剤(カチオン性界面活性剤・非イオン性界面活性剤・両性界面活性剤)、増粘・ゲル化剤、防腐剤、キレート剤、ｐＨ調整剤・酸・アルカリ、酸化防止剤、溶剤、消炎剤、香料、色素等を通常程度配合することができる。」
（甲５−６）「【００２７】
　高級アルコールとしては、ラウリルアルコール、セチルアルコール、ステアリルアルコール、ベヘニルアルコール、ミリスチルアルコール、オレイルアルコール、セトステアリルアルコール等の直鎖アルコール、モノステアリルグリセリンエーテル（バチルアルコール）、２−デシルテトラデシノール、ラノリンアルコール、コレステロール、フィトステロール、ヘキシルドデカノール、イソステアリルアルコール、オクチルドデカノール等の分枝鎖アルコール等が挙げられる。
・・・
【００３２】
　カチオン化ポリマー類としては、カチオン化セルロース誘導体、カチオン化澱粉、カチオン化グアーガム、４級化ポリビニルピロリドン誘導体等が挙げられる。
【００３３】
　カチオン性界面活性剤としては、塩化セチルトリメチルアンモニウム、塩化ステアリルトリメチルアンモニウム、塩化ベヘニルトリメチルアンモニウム、塩化アルキルトリメチルアンモニウム、塩化ジステアリルジメチルアンモニウム、エチル硫酸ラノリン脂肪酸アミノプロピルエチルジメチルアンモニウム等が挙げられる。
【００３４】
　非イオン界面活性剤としては、ポリオキシエチレン（ＰＯＥ）アルキルエーテル、ポリオキシエチレンアルキルエーテルソルビタン脂肪酸部分エステル、多価アルコール脂肪酸部分エステル、ポリグリセリン脂肪酸エステル、ポリオキシエチレン脂肪酸エステル、アルキルジメチルアミンオキサイド、アルキルポリグリコシド、アルキルグルコシド等が挙げられる。」
（甲５−７）「【００４８】
【表２】
　　　　　　　　　　　　　　　　　　　　　　　　　　　　　」
（２）甲５に記載された発明
　（甲５−１）ないし（甲５−７）、特にＮｏ．１０の実施例の記載から、甲５には、
「　少なくともアルカリ剤を含有する第１剤と、少なくとも酸化剤を含有する第２剤から構成される２剤式酸化染毛剤組成物であって、
　第１剤は、セトステアリルアルコール５．０質量％、パルミチン酸イソプロピル１．５質量％、パラフィン４．０質量％、ステアリン酸２．５質量％、ラウリル硫酸ナトリウム２．５質量％、ＰＯＥセチルエーテル８．０質量％、パラフェニレンジアミン０．５質量％、レゾルシン０．３質量％、アスコルビン酸ナトリウム０．５質量％、亜硫酸ナトリウム０．２質量％、エデト酸四ナトリウム０．１質量％、２５％アンモニア４．０質量％、モノエタノールアミン４．５質量％、塩化ジメチルジアリルアンモニウム・アクリル酸共重合体液（４０質量％）２．５質量％、炭酸水素アンモニウム２．５質量％、フィチン酸０．２質量％、アミノ変性シリコーンエマルション（４０質量％）２．０質量％、精製水適量からなり、
　第２剤は、セトステアリルアルコール０．６質量％、ミリスチルアルコール１．０質量％、流動パラフィン０．２質量％、ラウリル硫酸ナトリウム０．１質量％、ＰＯＥセチルエーテル２．０質量％、ヒドロキシエタンジホスホン酸０．１７質量％、リン酸水素二ナトリウム適量、リン酸適量、サルチル酸０．２４質量％、エタノール２．０質量％、３５％過酸化水素１７．０質量％、精製水適量からなり、ｐＨを２．５〜３．５付近に調整したものである、
２剤式酸化染毛剤組成物。」
の発明（以下「甲５発明」という。）が記載されているものと認められる。
６　甲６の記載事項
（１）甲６には以下の記載がある。
（甲６−１）「【０００１】
【産業上の利用分野】本発明は酸化染毛剤に関するもので、詳しくは、毛髪につやを与え、染色性及び堅牢性に優れ、さらに、毛髪に塗布した際に垂れ落ちしにくく、操作性に優れる酸化染毛剤組成物に関するものである。
【０００２】
【従来の技術】従来より、染毛剤としては
酸化染料中間体を含有する第１剤と、酸化剤を含有する第２剤よりなる二剤型の酸化染毛剤
【０００３】
【発明が解決しようとする課題】しかしながら、従来の酸化染毛剤では、染毛処理によって毛髪が損傷しがちであったため、毛髪のつややうるおいがなくなったり、染め上がりが不自然な色となり第三者に違和感を与えたり、また、櫛通りが悪く、髪のしなやかさがなくなるといった課題があった。これらの課題を解決するために、しばしば、カチオン性ポリマーが用いられることがあるが、カチオン性ポリマーのみを配合した場合、毛髪に塗布した際に垂れ落ちしやすく、また、毛髪との親和性が高いため、過剰に作用して毛髪にゴワつきやパサつきが生じることもあり、十分な解決には至っていない。
【０００４】従って、毛髪のつやや柔軟性を向上させ、自然な染め上がりが得られ、操作性にも優れ、さらに、毛髪にゴワつきが生じない酸化染毛剤の開発が望まれていた。」
（甲６−２）「【０００５】
【課題を解決するための手段】本発明者は、上記実状を鑑み鋭意研究を重ねた結果、（Ａ）特定の両性ターポリマーと、（Ｂ）カチオン性ポリマー、アニオン性ポリマー及び非イオン性ポリマーから選ばれる１種又は２種以上のポリマーとを組み合わせることにより、上記課題が解決されることを見出し、本発明を完成するに至った。」
（甲６−３）「【０００７】本発明で用いられる成分（Ａ）の両性ターポリマーとしては、アクリルアミド／アクリル酸／塩化ジアルキルジアリルアンモニウム共重合体が好ましい。分子量としては、２２０万〜８００万の間のものが好ましい。具体例としては、アクリルアミド／アクリル酸／塩化ジメチルジアリルアンモニウム共重合体が挙げられる。これは、ポリクォータニウム３９（Polyquaternium-39）として知られる水溶性の両性ターポリマーで、市販品としてはマーコートプラス３３３０，３３３１（カルゴン社製）が挙げられる。なお、これら市販品はアクリルアミド／アクリル酸／塩化ジメチルジアリルアンモニウム共重合体を有効成分として１０重量％含有する。」
（甲６−４）「【００１０】
カチオン性ポリマー
カチオン性ポリマーとしては、ポリマー鎖に結合してアミノ基又はアンモニウム基を含むか、又は少なくともジメチルジアリルアンモニウムハライドを構成単位として含む水溶液のものであり、例えばカチオン化セルロース誘導体、カチオン性澱粉、カチオン化グアーガム誘導体、ジアリル４級アンモニウム塩の重合体又は共重合体、及び４級化ポリビニルピロリドン誘導体などが挙げられる。カチオン化セルロース誘導体としては例えば・・・
・・・
【００１４】・・・市販品としては、ライオン（株）のレオガードＧ，ＧＰ、ユニオンカーバイド社のポリマーＪＲ−１２５，ＪＲ−４００，ＪＲ−３０Ｍ，ＬＲ−４００，ＬＲ−３０Ｍ等が挙げられる。その他のカチオン化セルロース誘導体としてはヒドロキシエチルセルロースジメチルジアリルアンモニウムクロリドが挙げられ、市販品としてはナショナルスターチアンドケミカル社のセルコートＨ−１００，Ｌ−２００等が挙げられる。」
（甲６−５）「【００３７】さらに、カチオン性界面活性剤を加えると、染色性及び堅牢性の面で優れた効果が得られる。カチオン性界面活性剤としては、第４級アンモニウム塩が挙げられ、具体例としては、塩化アルキルトリメチルアンモニウム、塩化ラウリルトリメチルアンモニウム、塩化セチルトリメチルアンモニウム、臭化セチルトリメチルアンモニウム、塩化ステアリルトリメチルアンモニウム、臭化ステアリルトリメチルアンモニウム、臭化ラウリルトリメチルアンモニウム、塩化ジアルキルジメチルアンモニウム、塩化ジセチルジメチルアンモニウム、塩化ジステアリルジメチルアンモニウム、塩化ジココイルジメチルアンモニウム、塩化ミリスチルジメチルベンジルアンモニウム、塩化ステアリルジメチルベンジルアンモニウム、エチル硫酸ラノリン脂肪酸アミノプロピルエチルジメチルアンモニウム等が挙げられる。」
（甲６−６）「【００４３】また、必要に応じて、高級脂肪酸、高級アルコール、アニオン性界面活性剤、非イオン性界面活性剤、両性界面活性剤及び溶剤を配合することができる。
【００４４】高級脂肪酸としては、例えば、オレイン酸、ミリスチン酸、ラウリン酸、ステアリン酸、イソステアリン酸、ベヘニン酸、アラキン酸、アラキドン酸、リノレイン酸、リノール酸などが挙げられ、これらを１種又は２種以上配合することができる。
【００４５】高級アルコールとしては、例えば、ラウリルアルコール、ミリスチルアルコール、セチルアルコール、ステアリルアルコール、セトステアリルアルコール、ベヘニルアルコール、イソステアリルアルコール、オレイルアルコール、２−ヘキシルデカノール、２−オクチルドデカノール、２−デシルテトラデカノールなどが挙げられ、これらを１種又は２種以上配合することができる。
【００４６】アニオン性界面活性剤、非イオン性界面活性剤、あるいは両性界面活性剤としては、以下のものが挙げられる。
【００４７】アニオン性界面活性剤
・・・
４．カルボン酸塩
４−１）高級脂肪酸とアミノ酸の縮合物
ラウロイルサルコシンナトリウムなどのＮ−アシルサルコシン塩、Ｎ−ラウロイル−Ｌ−グルタミン酸ナトリウム、Ｎ−ステアロイル−Ｌ−グルタミン酸二ナトリウム、Ｎ−ミリストイル−Ｌ−グルタミン酸ナトリウムなどＮ−アシルグルタミン酸塩
４−２）脂肪酸石鹸
オレイン酸、ステアリン酸、ラウリン酸、パルミチン酸などのナトリウム塩、カリウム塩、トリエタノールアミン塩あるいはアンモニウム塩
【００４８】非イオン性界面活性剤
１．ＰＯＥアルキルエーテル
ＰＯＥセチルエーテル、ＰＯＥステアリルエーテル、ＰＯＥベヘニルエーテル、ＰＯＥオレイルエーテル、ＰＯＥラウリルエーテル、ＰＯＥ２級アルキルエーテルなど
２．ＰＯＥアルキルフェニルエーテル
ＰＯＥノニルフェニルエーテル、ＰＯＥオクチルフェニルエーテルなど
３．ＰＯＥソルビタン脂肪酸エステル
モノオレイン酸ＰＯＥソルビタン、モノステアリン酸ＰＯＥソルビタン、モノパルミチン酸ＰＯＥソルビタン、モノラウリン酸ＰＯＥソルビタン、トリオレイン酸ＰＯＥソルビタンなど
４．ＰＯＥグリセリルモノ脂肪酸エステル
モノステアリン酸ＰＯＥグリセリン、モノミリスチン酸ＰＯＥグリセリンなど
５．ＰＯＥソルビトール脂肪酸エステル
テトラオレイン酸ＰＯＥソルビット、ヘキサステアリン酸ＰＯＥソルビット、モノラウリン酸ＰＯＥソルビット、ＰＯＥソルビットミツロウなど」
（甲６−７）「【００５７】
【実施例】実施例１〜５及び比較例１〜５
表１に示す組成の実施例１〜５及び表２に示す組成の比較例１〜５のクリーム状酸化染毛剤組成物をそれぞれ常法に従って調製した。
・・・
【００６０】また、次に示す組成の酸化剤を常法により調製した。
【００６１】
（酸化剤）　　　　　　　　　　　　重量％
過酸化水素水（３５％）　　　　　１６．０
ＥＤＴＡ　　　　　　　　　　　　　０．５
セタノール　　　　　　　　　　　　２．０
ラウリル硫酸ナトリウム　　　　　　０．５
フェナセチン　　　　　　　　　　　０．１
精製水　　　　　　　　　　　　　　適　量
合計　　　　　　　　　　　　　１００．０
【００６２】比較試験１
ヒトの黒髪毛束（約２０ｃｍ）、ヤギ毛束（白色）、及びヒトの白髪（約３０％）まじりの黒髪毛束をラウリル硫酸ナトリウム水溶液（５％）にて洗浄し、微温湯で十分にすすいだ後、風乾させた。その後、実施例１〜５及び比較例１〜５と、上記の酸化剤とをそれぞれ１：１で混合したものを各々の毛束に塗布し、３０℃で２０分間放置した。次いで、水洗、通常のシャンプー、リンスで仕上げた後、風乾させた。そして、専門のパネラーにより、プレーンリンス時の感触、乾燥後の感触、毛髪のつや、染色性及び塗布時の垂れ落ちについて、以下に示す評価基準により比較評価した。」
（甲６−８）「【００６６】以下に示す組成の実施例６〜８のクリーム状酸化染毛剤組成物を常法により調製し、実施例１と同様の試験を行ったところ、良好な結果が得られた。
【００６７】
実施例６
　　　　　　　　　　　　　　　　　　　　　　　　　　　　　　重量％
マーコートプラス３３３１　　　　　　　　　　　　　　　　　　１．５
セルコートＬ−２００　　　　　　　　　　　　　　　　　　　　０．２
ポリマーＪＲ−１２５　　　　　　　　　　　　　　　　　　　　０．２
ヒドロキシエチルセルロース　　　　　　　　　　　　　　　　　０．２
塩化セチルトリメチルアンモニウム　　　　　　　　　　　　　　１．０
ポリオキシエチレン(５．５)セチルエーテル　　　　　　　　　　１．０
ポリオキシエチレン(２)ラウリルエーテル硫酸ナトリウム　　　　２．０
セタノール　　　　　　　　　　　　　　　　　　　　　　　　１０．０
プロピレングリコール　　　　　　　　　　　　　　　　　　　　５．０
２８％アンモニア水　　　　　　　　　　　　　　　ｐＨ９．５とする量
無水亜硫酸ナトリウム　　　　　　　　　　　　　　　　　　　　０．１
ＥＤＴＡ二ナトリウム　　　　　　　　　　　　　　　　　　　　０．１
ｐ−フェニレンジアミン　　　　　　　　　　　　　　　　　　　０．５
ｐ−トルイレンジアミン　　　　　　　　　　　　　　　　　　　０．５
レゾルシン　　　　　　　　　　　　　　　　　　　　　　　　　０．５
ｍ−アミノフェノール　　　　　　　　　　　　　　　　　　　　０．２
ｐ−アミノフェノール　　　　　　　　　　　　　　　　　　　　０．３
５−アミノ−ｏ−クレゾール　　　　　　　　　　　　　　　　　０．２
精製水　　　　　　　　　　　　　　　　　　　　　　　　　　　適　量
合計　　　　　　　　　　　　　　　　　　　　　　　　　　１００．０」
（甲６−９）「【００７２】
【発明の効果】本発明によれば、毛髪の櫛通り性、柔軟性を向上させ、毛髪につやを与え、より深い色調や染まりを得ることができ、堅牢性も優れている。さらに、毛髪上にうまく付着し、のびがよく、垂れ落ちしにくいので操作性にも優れる。」
（２）甲６に記載された発明
　（甲６−１）ないし（甲６−９）、特に実施例６の記載から、甲６には、
「　酸化染料中間体を含有する第１剤と、酸化剤を含有する第２剤よりなる二剤型の酸化染毛剤であって、
　第１剤は、マーコートプラス３３３１を１．５重量％、セルコートＬ−２００を０．２重量％、ポリマーＪＲ−１２５を０．２重量％、ヒドロキシエチルセルロース０．２重量％、塩化セチルトリメチルアンモニウム１．０重量％、ポリオキシエチレン(５．５)セチルエーテル１．０重量％、ポリオキシエチレン(２)ラウリルエーテル硫酸ナトリウム２．０重量％、セタノール１０．０重量％、プロピレングリコール５．０重量％、ｐＨ９．５とする量の２８％アンモニア水、無水亜硫酸ナトリウム０．１重量％、ＥＤＴＡ二ナトリウム０．１重量％、ｐ−フェニレンジアミン０．５重量％、ｐ−トルイレンジアミン０．５重量％、レゾルシン０．５重量％、ｍ−アミノフェノール０．２重量％、ｐ−アミノフェノール０．３重量％、５−アミノ−ｏ−クレゾール０．２重量％、精製水適量からなり、
　第２剤は、過酸化水素水（３５％）１６．０重量％、ＥＤＴＡ０．５重量％、セタノール２．０重量％、ラウリル硫酸ナトリウム０．５重量％、フェナセチン０．１重量％、精製水適量からなる、
酸化染毛剤。」
の発明（以下「甲６発明」という。）が記載されているものと認められる。
第５　判断
１　特許法第２９条の規定に係る申立て（取消理由１及び２）について
（１）本件発明１について
ア　甲１発明を引用発明とする対比・判断
　本件発明１と甲１発明とを対比すると、本件発明１は、第１剤に「（ｂ）カチオン化セルロース」が配合されているのに対し、甲１発明は、「ヒドロキシエチルセルロース」を含むものの、「カチオン化セルロース」は配合されていない点（以下「相違点１」という。）において少なくとも相違する。
　したがって、本件発明１は甲１に記載された発明ではない。
　特許異議申立人は、甲１発明のヒドロキシエチルセルロースは、本件発明１のカチオン化セルロースに該当するかのように述べている。
　しかし、ヒドロキシエチルセルロース自体は非イオン性であり、本件特許の明細書（以下「本件明細書」という。）【００１６】に「本発明の酸化型毛髪処理剤の第１剤に係る（ｂ）成分であるカチオン化セルロースの具他例としては、例えば、塩化Ｏ−［２−ヒドロキシ−３−（トリメチルアンモニオ）プロピル］ヒドロキシエチルセルロース、低窒素ヒドロキシエチルセルロースジメチルジアリルアンモニウムクロリドなどが挙げられ・・・」と例示されているようなカチオン化セルロースには該当しない。
イ　甲２発明を引用発明とする対比・判断
（ア）本件発明１と甲２発明とを対比すると、甲２発明の「ジメチルアミノエチル（α−ヒドロキシメチル）アクリレートのベタイン化物からなる両性単量体／アクリルアミド／ヒドロキシエチルメタクリレート＝４２／４９／９モル％からなる両性高分子（Ａ１）」は、両性単量体由来の構造単位を含む両性高分子であるから、本件発明１の「（ｃ）アニオン性モノマー由来の構造単位とカチオン性モノマー由来の構造単位とを含む両性高分子」と、「両性高分子」である点において共通する。
　そして、本件発明１と甲２発明とは、少なくとも次の２点で相違する。
（相違点２−１）
　第１剤について、本件発明１は「（ａ）一般式Ｒ−ＣＯＯＨ（ただし、Ｒは置換基を有しない炭素数が１５〜１７のアルキル基）で表される飽和脂肪酸」、及び「（ｂ）カチオン化セルロース」が配合されているのに対し、甲２発明はそれらが配合されていない点
（相違点２−２）
　第１剤に配合される両性高分子（（ｃ）成分）について、本件発明１は「アニオン性モノマー由来の構造単位とカチオン性モノマー由来の構造単位とを含む」ものであるのに対し、甲２発明は「両性単量体由来の構造単位を含む」ものを含むものの、「アニオン性モノマー由来の構造単位とカチオン性モノマー由来の構造単位とを含む」ものは配合されていない点。
　したがって、本件発明１は甲２に記載された発明ではない。
　特許異議申立人は、甲２には、本件発明１の第１剤に配合される全ての成分が記載された染髪剤が開示されていることから、本件発明１は甲２に記載された発明である旨主張している。
　確かに、甲２には、下記（イ）に示すように本件発明１の第１剤に配合される各成分に該当する成分を、酸化染毛剤の第１剤に配合することができる旨の記載はあるものの、それらは他の成分を含めて任意選択的に配合することができる成分として記載されているにすぎず、本件発明１の第１剤に配合される各成分を組み合わせて配合することまでは記載されていない。
　よって、特許異議申立人の上記主張は採用できない。
（イ）次に、上記相違点２−１及び２−２に係る構成が容易想到であるかについて検討する。
ａ　甲２には、本件発明１の（ａ）成分、（ｂ）成分及び（ｃ）成分に関連する記載として、以下の記載がある。
　（甲２−６）の【００４８】には、「さらに、この第１液には本発明の効果を妨げない範囲において、公知の成分を添加配合することができる。例えば、
カチオン性高分子
両性高分子（Ａ）以外の両性高分子
高級脂肪酸
カチオン化セルロース誘導体
ジアルキルアミノアルキル（メタ）アクリレートなどと（メタ）アクリル酸などとの共重合体
ステアリン酸
イソステアリン酸
　これらの記載から、甲２には、甲２発明に対して追加配合し得る成分として、本件発明１の（ａ）成分に相当するステアリン酸、イソステアリン酸、（ｂ）成分に相当するカチオン化セルロース誘導体、及び（ｃ）成分に相当するジアルキルアミノアルキル（メタ）アクリレートなどと（メタ）アクリル酸などとの共重合体が、それぞれ他の成分も含めて任意選択的に配合することができる成分の例として記載されているといえる。
ｂ　そこで、本件発明１の奏する作用効果について検討する。
　本件明細書には、本件発明の奏する効果について以下の記載がある。
「【００１０】
　本発明によれば、処理後の毛髪に良好な艶を付与し得る酸化型毛髪処理剤を提供することができる。」
「【００１２】
（第１剤）
　本発明の酸化型毛髪処理剤の第１剤には、（ａ）上記一般式（１）で表される飽和脂肪酸、（ｂ）カチオン化セルロース、および（ｃ）アニオン性モノマー由来の構造単位と、カチオン性モノマー由来の構造単位とを含む両性高分子が配合されており、これを酸化剤が配合された第２剤と混合して使用することで、処理後（染毛後または脱色後）の毛髪に良好な艶を付与することができ、更に毛先のまとまりもよくすることができる。
【００１３】
　その理由は定かではないが、以下のような機構によるものと推測される。酸化型毛髪処理剤の第１剤においては、アルカリ剤と（ａ）成分である飽和脂肪酸とが脂肪酸塩を形成し、これがアニオン性界面活性剤として機能していると考えられる。そして、前記の脂肪酸塩と、（ｂ）成分であるカチオン化ポリマーと、（ｃ）成分である両性高分子とが、第１剤中で共存することによって、何らかの相互作用が生じ、これらの成分が何らかの複合体を形成して、処理後の毛髪の艶を高めるように作用しているのではないかと推測される。（ｃ）成分である両性高分子は、その分子内にアニオン性の部分とカチオン性の部分とを有しており、これが（ａ）成分である飽和脂肪酸由来のアニオン性界面活性剤（脂肪酸塩）および（ｂ）成分であるカチオン化セルロースとの複合化に寄与していると考えられる。」
「【００１８】
　本発明の酸化型毛髪処理剤の第１剤では、（ｃ）成分である両性高分子に、アニオン性モノマー由来の構造単位とカチオン性モノマー由来の構造単位とを含む高分子（共重合体）の１種または２種以上を使用する。両性高分子には、分子内にカチオン性の部分とアニオン性の部分とを有するモノマーの重合体もあるが、このような両性高分子を使用した場合には、処理後の毛髪の艶を十分に高めることができない。」
「【００７０】
　表１〜表３に示す通り、（ａ）上記一般式（１）で表される飽和脂肪酸、（ｂ）カチオン化セルロース、および（ｃ）アニオン性モノマー由来の構造単位とカチオン性モノマー由来の構造単位とを含む両性高分子〔両性高分子（Ａ）〕を配合した第１剤と、第２剤とを組み合わせて構成した実施例１〜３の酸化型毛髪処理剤では、処理後の毛髪に良好な艶を付与できており、また、毛先のまとまりも良好である。更に、実施例１〜３の酸化型毛髪処理剤では、処理後の毛髪の染まり具合も良好であった。
【００７１】
　これに対し、（ａ）成分を配合していない第１剤を用いた比較例１の酸化型毛髪処理剤、（ｂ）成分および／または（ｃ）成分を配合していない比較例２〜４の酸化型毛髪処理剤、（ｃ）成分に代えて、アニオン性の部分とカチオン性の部分とを有するモノマー由来の構造単位を含む両性高分子〔両性高分子（Ｂ）〕を配合した比較例５の酸化型毛髪処理剤では、処理後の毛髪の艶、毛先のまとまりのいずれもが劣っている。
【００７２】
　また、（ａ）成分に代えて、上記一般式（１）を満たさない脂肪酸を使用した比較例６〜１１の酸化型毛髪処理剤のうち、カプリン酸を使用した比較例６の酸化型毛髪処理剤は乳化できず、ラウリン酸を使用した比較例７の酸化型毛髪処理剤は油性成分の分離が認められた。よって、これらの酸化型毛髪処理剤では、染毛処理評価を行っていない。更に、ミリスチン酸を使用した比較例８の酸化型毛髪処理剤およびオレイン酸を使用した比較例１０の酸化型毛髪処理剤では、処理後の毛髪の艶、毛先のまとまりのいずれもが劣っており、ベヘン酸を使用した比較例９の酸化型毛髪処理剤およびヒドロキシステアリン酸を使用した比較例１１の酸化型毛髪処理剤では、処理後の毛髪の艶が劣っている。
【００７３】
　また、（ｂ）成分および（ｃ）成分を配合していない第１剤と、（ｂ）成分および（ｃ）成分を配合した第２剤とを組み合わせて構成した比較例１２の酸化型毛髪処理剤では、処理後の毛髪の艶が劣っている。」
　これらの記載から、本件発明１は、第１剤に（ａ）一般式Ｒ−ＣＯＯＨ（ただし、Ｒは置換基を有しない炭素数が１５〜１７のアルキル基）で表される飽和脂肪酸、（ｂ）カチオン化セルロース、及び（ｃ）アニオン性モノマー由来の構造単位とカチオン性モノマー由来の構造単位とを含む両性高分子を併用することにより、処理後の毛髪の艶と毛先のまとまりの双方を良好なものとするという作用効果（以下「本件作用効果」という。）を奏するものと認められる。
ｃ　これに対し、甲２の記載からは、第１剤にステアリン酸又はイソステアリン酸、カチオン化セルロース誘導体、及びジアルキルアミノアルキル（メタ）アクリレートなどと（メタ）アクリル酸などとの共重合体を併用することにより、処理後の毛髪の艶と毛先のまとまりの双方を良好なものとするという作用効果を奏するものであることの認識は、見いだすことはできない。
ｄ　したがって、本件発明１は、甲２発明及び甲２の記載事項に基づいて、当業者が容易に発明をすることができたものとはいえない。
ウ　甲３発明を引用発明とする対比・判断
（ア）本件発明１と甲３発明とを対比すると、本件発明１においては、第１剤に「（ａ）一般式Ｒ−ＣＯＯＨ（ただし、Ｒは置換基を有しない炭素数が１５〜１７のアルキル基）で表される飽和脂肪酸、（ｂ）カチオン化セルロース、及び（ｃ）アニオン性モノマー由来の構造単位とカチオン性モノマー由来の構造単位とを含む両性高分子」が配合されているのに対し、甲３発明においては、それらの成分を配合することが特定されていない点（以下「相違点３」という。）において少なくとも相違する。
　したがって、本件発明１は甲３に記載された発明ではない。
　特許異議申立人は、甲３には、本件発明１の第１剤における全ての成分が配合された毛髪化粧料が開示されていることから、本件発明１は甲３に記載された発明である旨主張している。
　確かに、甲３には、下記（イ）に示すように本件発明１の第１剤に配合される各成分に該当する成分を毛髪化粧料に配合することができる旨の記載はあるものの、それらは他の成分を含めて任意選択的に配合することができる成分として記載されているにすぎず、本件発明１の第１剤に配合される各成分を組み合わせて配合することまでは記載されていない。
　よって、特許異議申立人の上記主張は採用できない。
（イ）次に、上記相違点３に係る構成が容易想到であるかについて検討する。
ａ　甲３には、本件発明１の（ａ）成分、（ｂ）成分及び（ｃ）成分に関連する記載として、以下の記載がある。
　（甲３−４）の【００３８】には、「本発明の毛髪化粧料は、更に、水溶性高分子化合物を含有することができる。
水溶性高分子化合物としては
カチオン性残基を有する両性又はカチオン性高分子化合物
カチオン性高分子化合物としては
塩化ジメチルジアリルアンモニウム・アクリル酸共重合体
塩化ジメチルジアリルアンモニウム・アクリルアミド・アクリル酸３元共重合体
カチオン化セルロース
　また、（甲３−５）の【００４１】には、「本発明の毛髪化粧料には、上記成分以外に、通常の毛髪化粧料に用いられている成分、例えば、アニオン性界面活性剤、両性界面活性剤、半極性非イオン性界面活性剤、およびノニオン性界面活性剤、油脂、高級アルコール、ステロール、
有機酸
有機酸としては
パルミチン酸
ステアリン酸
イソステアリン酸
　中でも分子内に水酸基を有するα−ヒドロキシ酸が好ましく、グリコール酸、乳酸、リンゴ酸、クエン酸、酒石酸、マンデル酸がさらに好ましい。」との記載がある。
　これらの記載から、甲３には、甲３発明に対して追加配合し得る成分として、本件発明１の（ａ）成分に相当するパルミチン酸、ステアリン酸、イソステアリン酸、（ｂ）成分に相当するカチオン化セルロース、及び（ｃ）成分に相当する塩化ジメチルジアリルアンモニウム・アクリル酸共重合体、塩化ジメチルジアリルアンモニウム・アクリルアミド・アクリル酸３元共重合体が、それぞれ他の成分も含めて任意選択的に配合することができる成分の例として記載されているといえる。
ｂ　しかしながら、甲３の記載からは、毛髪化粧料にパルミチン酸、ステアリン酸又はイソステアリン酸、カチオン化セルロース、及び、塩化ジメチルジアリルアンモニウム・アクリル酸共重合体又は塩化ジメチルジアリルアンモニウム・アクリルアミド・アクリル酸３元共重合体を併用することにより、上記本件作用効果を奏するものであることの認識は、見いだすことはできない。
ｃ　したがって、本件発明１は、甲３発明及び甲３の記載事項に基づいて、当業者が容易に発明をすることができたものとはいえない。
エ　甲４発明を引用発明とする対比・判断
（ア）本件発明１と甲４発明とを対比すると、次のことがいえる。
　甲４発明の「アンモニア水（２５％濃度）」及び「過酸化水素（３５％濃度）」は、それぞれ本件発明１の「アルカリ剤」及び「酸化剤」に相当する。
　（甲４−４）の【００２１】及び（甲４−７）の【００５５】を参酌するに、甲４発明の「Ｕｃａｒｅ　Ｐｏｌｙｍｅｒ　ＪＲ−３０Ｍ（商品名）」は塩化Ｏ−［２−ヒドロキシ−３−（トリメチルアンモニオ）プロピル］ヒドロキシエチルセルロースであるから、本件発明１の「（ｂ）カチオン化セルロース」に相当する。
　また、（甲４−４）の【００２１】及び（甲４−７）の【００５５】を参酌するに、甲４発明の「Ｍｅｒｑｕａｔ２８０（商品名）」はカチオン性高分子である塩化ジメチルジアリルアンモニウム・アクリルアミド共重合体として用いられているが、本件明細書【００２２】に「（ｃ）成分である両性高分子には、Ｌｕｂｒｉｚｏｌ社製の「マーコート２８０」、「マーコート２８１」、「マーコート２９５」、「マーコート２００１」、「マーコート２００３」、「マーコート３３００」、「マーコート３３３１」、「マーコート３３３３」など（いずれも商品名）の市販品を使用することができる。」と記載されていることから、甲４発明の「Ｍｅｒｑｕａｔ２８０（商品名）」は、本件発明１の「（ｃ）アニオン性モノマー由来の構造単位とカチオン性モノマー由来の構造単位とを含む両性高分子」に相当するといえる。
　甲４発明の「塩化セチルトリメチルアンモニウム」は、本件発明１の「（ｅ）長鎖アルキルトリメチルアンモニウム塩であるカチオン性界面活性剤」に相当する。
　他方、本件発明１と甲４発明とは、次の点で相違する。
（相違点４）
　第１剤について、本件発明１は「（ａ）一般式Ｒ−ＣＯＯＨ（ただし、Ｒは置換基を有しない炭素数が１５〜１７のアルキル基）で表される飽和脂肪酸」が配合されているのに対し、甲４発明はそのような飽和脂肪酸が配合されていない点。
　したがって、本件発明１は甲４に記載された発明ではない。
　特許異議申立人は、甲４には、本件発明１の第１剤における全ての成分が配合された染毛用第１剤組成物が開示されていることから、本件発明１は甲４に記載された発明である旨主張している。
　確かに、甲４には、下記（イ）に示すように本件発明１の第１剤に配合される各成分に該当する成分を、酸化型染毛剤の第１剤に配合することができる旨の記載はあるものの、それらは他の成分を含めて任意選択的に配合することができる成分として記載されているにすぎず、本件発明１の第１剤に配合される各成分を組み合わせて配合することまでは記載されていない。
　よって、特許異議申立人の上記主張は採用できない。
（イ）次に、上記相違点４に係る構成が容易想到であるかについて検討する。
ａ　甲４には、本件発明１の（ａ）成分に関連する記載として、以下の記載がある。
　（甲４−６）の【００３１】には、「更に、染毛用第１剤組成物には、本発明の効果を妨げない範囲で、必要に応じて、通常の化粧料に配合されている各種の添加剤を配合することができる。このような添加剤としては、例えば、（Ｂ）成分および（Ｄ）成分以外の界面活性剤、（Ｃ）成分以外の高分子、アルコール類、油脂、エステル、炭化水素、
脂肪酸
脂肪酸としては
パルミチン酸
ステアリン酸
イソステアリン酸
　これらの記載から、甲４には、甲４発明に対して追加配合し得る成分として、本件発明１の（ａ）成分に相当するパルミチン酸、ステアリン酸、イソステアリン酸が、他の成分も含めて任意選択的に配合することができる成分の例として記載されているといえる。
ｂ　しかしながら、甲４の記載からは、染毛用第１剤組成物にカチオン性高分子としての塩化Ｏ−［２−ヒドロキシ−３−（トリメチルアンモニオ）プロピル］ヒドロキシエチルセルロース（Ｕｃａｒｅ　Ｐｏｌｙｍｅｒ　ＪＲ−３０Ｍ（商品名））及び塩化ジメチルジアリルアンモニウム・アクリルアミド共重合体（Ｍｅｒｑｕａｔ２８０（商品名））とともに脂肪酸としてパルミチン酸、ステアリン酸又はイソステアリン酸を併用することにより、上記本件作用効果を奏するものであることの認識は、見いだすことはできない。
ｃ　したがって、本件発明１は、甲４発明及び甲４の記載事項に基づいて、当業者が容易に発明をすることができたものとはいえない。
オ　甲５発明を引用発明とする対比・判断
（ア）本件発明１と甲５発明とを対比すると、次のことがいえる。
　甲５発明の「ステアリン酸」は、本件発明１の「（ａ）一般式Ｒ−ＣＯＯＨ（ただし、Ｒは置換基を有しない炭素数が１５〜１７のアルキル基）で表される飽和脂肪酸」に相当する。
　また、（甲５−３）の【００１９】を参酌するに、甲５発明の「塩化ジメチルジアリルアンモニウム・アクリル酸共重合体液（４０質量％）」はカチオン化ポリマーとして用いられているが、（甲５−７）の【００４８】によれば、具体的にはＯＮＤＥＯ　Ｎａｌｃｏ社製のマーコート２８０、２９５（商品名）が使用されているところ、本件明細書【００２２】に「（ｃ）成分である両性高分子には、Ｌｕｂｒｉｚｏｌ社製の「マーコート２８０」、「マーコート２８１」、「マーコート２９５」、「マーコート２００１」、「マーコート２００３」、「マーコート３３００」、「マーコート３３３１」、「マーコート３３３３」など（いずれも商品名）の市販品を使用することができる。」と記載されていることから、甲５発明の「塩化ジメチルジアリルアンモニウム・アクリル酸共重合体液（４０質量％）」は、本件発明１の「（ｃ）アニオン性モノマー由来の構造単位とカチオン性モノマー由来の構造単位とを含む両性高分子」に相当するといえる。
　他方、本件発明１と甲５発明とは、少なくとも次の点で相違する。
（相違点５）
　第１剤について、本件発明１は「（ｂ）カチオン化セルロース」が配合されているのに対し、甲５発明はカチオン化セルロースが配合されていない点。
（イ）次に、上記相違点５に係る構成が容易想到であるかについて検討する。
ａ　甲５には、本件発明１の（ｂ）成分に関連する記載として、以下の記載がある。
　（甲５−５）の【００２４】には、「上記成分の他、これら第１剤および第２剤に通常含まれる添加剤を含むものであって良い。こうした添加剤としては、例えば保湿剤、油脂類、高級アルコール類、ラノリン類、ワセリン・ワックス類、フッ素化合物、シリコーン類、
カチオン化ポリマー
カチオン化ポリマー類としては
カチオン化セルロース誘導体
　これらの記載から、甲５には、甲５発明に対して追加配合し得る成分として、本件発明１の（ｂ）成分に相当するカチオン化セルロース誘導体が、他の成分も含めて任意選択的に配合することができる成分の例として記載されているといえる。
ｂ　しかしながら、甲５の記載からは、第１剤にステアリン酸及びカチオン化ポリマーとしての塩化ジメチルジアリルアンモニウム・アクリル酸共重合体とともにカチオン化ポリマーとしてカチオン化セルロース誘導体を併用することにより、上記本件作用効果を奏するものであることの認識は、見いだすことはできない。
ｃ　したがって、本件発明１は、甲５発明及び甲５の記載事項に基づいて、当業者が容易に発明をすることができたものとはいえない。
カ　甲６発明を引用発明とする対比・判断
（ア）本件発明１と甲６発明とを対比すると、次のことがいえる。
　甲６発明の「２８％アンモニア水」及び「過酸化水素水（３５％）」は、それぞれ本件発明１の「アルカリ剤」及び「酸化剤」に相当する。
　（甲６−４）の【００１０】及び【００１４】を参酌するに、甲６発明の「セルコートＬ−２００」及び「ポリマーＪＲ−１２５」はカチオン化セルロース誘導体であるから、本件発明１の「（ｂ）カチオン化セルロース」に相当する。
　（甲６−３）の【０００７】を参酌するに、甲６発明の「マーコートプラス３３３１」は両性ターポリマーであるアクリルアミド／アクリル酸／塩化ジメチルジアリルアンモニウム共重合体を含有するものであるから、本件発明１の「（ｃ）アニオン性モノマー由来の構造単位とカチオン性モノマー由来の構造単位とを含む両性高分子」に相当する。
　甲６発明の「塩化セチルトリメチルアンモニウム」は、本件発明１の「（ｅ）長鎖アルキルトリメチルアンモニウム塩であるカチオン性界面活性剤」に相当する。
　他方、本件発明１と甲６発明とは、次の点で相違する。
（相違点６）
　第１剤について、本件発明１は「（ａ）一般式Ｒ−ＣＯＯＨ（ただし、Ｒは置換基を有しない炭素数が１５〜１７のアルキル基）で表される飽和脂肪酸」が配合されているのに対し、甲６発明はそのような飽和脂肪酸が配合されていない点。
（イ）次に、上記相違点６に係る構成が容易想到であるかについて検討する。
ａ　甲６には、本件発明１の（ａ）成分に関連する記載として、以下の記載がある。
　（甲６−６）の【００４３】には、「必要に応じて、
高級脂肪酸
高級脂肪酸としては
ステアリン酸
イソステアリン酸
　これらの記載から、甲６には、甲６発明に対して追加配合し得る成分として、本件発明１の（ａ）成分に相当するステアリン酸、イソステアリン酸が、他の成分も含めて任意選択的に配合することができる成分の例として記載されているといえる。
ｂ　しかしながら、甲６の記載からは、第１剤にカチオン化ポリマーとしてのカチオン化セルロース誘導体（セルコートＬ−２００、ポリマーＪＲ−１２５）及び両性ターポリマーであるアクリルアミド／アクリル酸／塩化ジメチルジアリルアンモニウム共重合体（マーコートプラス３３３１）とともに高級脂肪酸としてステアリン酸又はイソステアリン酸を併用することにより、上記本件作用効果を奏するものであることの認識は、見いだすことはできない。
ｃ　したがって、本件発明１は、甲６発明及び甲６の記載事項に基づいて、当業者が容易に発明をすることができたものとはいえない。
キ　甲２発明ないし甲６発明の組合せに基づく進歩性の判断
　上記イないしカで示したように、甲２ないし甲６の記載からは、２剤式酸化型毛髪処理剤の第１剤に本件発明１の（ａ）成分、（ｂ）成分及び（ｃ）成分を併用することにより、上記本件作用効果を奏するものであることの認識は、見いだすことはできない。
　してみると、甲２ないし甲６の全てに接した当業者といえども、本件発明１を容易に発明をすることができたとはいえない。
ク　小括
　以上のとおりであるから、本件発明１についての特許異議申立人の取消理由１及び２には理由がない。
（２）本件発明２ないし４について
　本件発明２ないし４は、本件発明１を更に減縮したものであるところ、本件発明１についての特許異議申立人の取消理由１及び２に理由がないことは、上記「（１）本件発明１について」で検討したとおりであるから、本件発明２ないし４についての特許異議申立人の取消理由１及び２も同様に理由がない。
２　特許法第３６条第６項第２号に規定する要件に係る申立て（取消理由３）について
　特許異議申立人は、請求項４に「クリーム状である請求項１〜３のいずれかに記載の酸化型毛髪処理剤。」とあるところ、本件明細書には「クリーム状」とはどのような性状であるのか全く記載されていないことから、当業者が「クリーム状」なる用語の意味、内容を理解することができず、本件発明４は明確でない旨主張している。
　しかしながら、毛髪処理剤の技術分野において、「クリーム状」という用語は、甲２ないし甲６においても特段の説明なしに用いられているように普通に使用されている用語であり、当業者であれば「クリーム状」という用語がどのような性状で表すものであるかを理解できることは明らかである。
　よって、本件発明４についての特許異議申立人の取消理由３には理由がない。
３　特許法第３６条第６項第１号に規定する要件に係る申立て（取消理由４）について
（１）本件発明１について
　特許異議申立人は、本件発明１は、各々の成分の配合量は全く特定されていないものであるところ、発明の詳細な説明において配合量による効果に言及しつつも、効果が確認されている配合量は実施例の１点のみであり配合量の違いによる効果の相違は全く確認されていないこと、また、（ｂ）成分、（ｃ）成分及び（ｅ）成分の種類についても発明の詳細な説明において効果が確認されている種類は実施例の１点のみであることから、本件発明１の範囲にまで発明の詳細な説明に開示された内容を拡張ないし一般化することはできない旨主張している。
　そこで、特許異議申立人の上記主張について検討する。
　本件明細書【０００６】によれば、本件発明の解決しようとする課題は処理後の毛髪に良好な艶を付与し得る酸化型毛髪処理剤を提供することであるところ、本件発明１は、複数の特定の成分を配合することにより上記課題を解決しようとするものであって、上記課題を解決することができるそれら特定の成分の配合量を特定するものではない。
　そして、本件明細書【００１５】、【００１７】及び【００２３】には、それぞれ処理後の毛髪の艶を高める効果をより良好に確保する観点から定まる、（ａ）成分、（ｂ）成分及び（ｃ）成分の配合量の好ましい下限値と、処理後の毛髪の艶を高める効果とは異なる観点から定まる（ａ）成分、（ｂ）成分及び（ｃ）成分の配合量の好ましい上限値とが記載されており、本件明細書【００２８】には、（ｅ）成分は処理後の毛髪の感触をより良好にするための成分であることが記載されていることから、本件発明１の各成分の配合量が実施例の値からずれた場合であっても、程度の差はあるとしても上記本件作用効果を奏するものと推測される。
　また、（ｂ）成分、（ｃ）成分及び（ｅ）成分の種類についても、本件明細書【００１６】、【００１９】ないし【００２１】及び【００２９】に、それぞれ（ｂ）成分、（ｃ）成分及び（ｅ）成分に含まれる物質が例示されており、それらは実施例で用いられた物質と共通の性質を有しているものであることから、本件発明１の各成分の物質が実施例で使用されている物質以外の共通の性質を有する他の物質の場合であっても、程度の差はあるとしても上記本件作用効果を奏するものと推測される。
  そうすると、本件発明１が発明の詳細な説明に記載された範囲を超えるものであるとまではいえない。
　よって、本件発明１についての特許異議申立人の取消理由４には理由がない。
（２）本件発明２について
　特許異議申立人は、本件発明２に対して、本件発明１に対する取消理由４と同様の取消理由４を主張しているが、本件発明２は、本件発明１を更に減縮したものであるところ、本件発明１についての特許異議申立人の取消理由４に理由がないことは、上記「（１）本件発明１について」で検討したとおりであるから、本件発明２についての特許異議申立人の取消理由４も同様に理由がない。
（３）本件発明３について
　本件発明３は、本件発明１又は２を更に減縮したものであるところ、特許異議申立人は、本件発明３に対して、本件発明１に対する取消理由４と同様の取消理由４に加えて、次の点を主張している。
　本件発明３は、（ｄ）成分及び（ｆ）成分の配合量は全く特定されていないものであるところ、発明の詳細な説明において配合量による効果に言及しつつも、効果が確認されている配合量は実施例の１点のみであり配合量の違いによる効果の相違は全く確認されていないこと、また、（ｄ）成分及び（ｆ）成分の種類についても発明の詳細な説明において効果が確認されている種類は実施例の１点のみであることから、本件発明３の範囲にまで発明の詳細な説明に開示された内容を拡張ないし一般化することはできない。
　そこで、特許異議申立人の上記主張について検討する。
　上記（１）で示したように、本件発明の解決しようとする課題は処理後の毛髪に良好な艶を付与し得る酸化型毛髪処理剤を提供することである。
　そして、本件明細書【００２５】には、（ｄ）成分は酸化型毛髪処理剤の粘度調整を容易にするための成分であることが記載され、【００３１】には、（ｆ）成分は第１剤の乳化安定性を高めるための成分であることが記載されていることから、（ｄ）成分及び（ｆ）成分が上記本件作用効果に与える影響は小さいものと認められる。
　したがって、本件発明３の（ｄ）成分及び（ｆ）成分の物質の種類及び配合量が実施例で使用されている物質及び配合量以外の場合であっても、程度の差はあるとしても上記本件作用効果を奏するものと推測される。
　そして、本件発明１に対する取消理由４については、上記「（１）本件発明１について」で検討したとおりである。
　そうすると、本件発明３が発明の詳細な説明に記載された範囲を超えるものであるとまではいえない。
　よって、本件発明３についての特許異議申立人の取消理由４には理由がない。
（４）本件発明４について
　特許異議申立人は、本件発明４に対して、本件発明１及び３に対する取消理由４と同様の取消理由４を主張しているが、本件発明４は、本件発明１、２又は３を更に減縮したものであるところ、本件発明１ないし３についての特許異議申立人の取消理由４に理由がないことは、上記「（１）本件発明１について」ないし「（３）本件発明３について」で検討したとおりであるから、本件発明４についての特許異議申立人の取消理由４も同様に理由がない。
５　特許法第３６条第４項第１号に規定する要件に係る申立て（取消理由５）について
　特許異議申立人は、本件発明１ないし４は、本件明細書の発明の詳細な説明に開示された内容を拡張ないし一般化できる範囲を超えたものであることから、本件明細書の発明の詳細な説明は、本件発明１ないし４を当業者が実施できる程度に明確かつ十分に記載したものでない旨主張している。
　しかしながら、本件発明１ないし４が本件明細書の発明の詳細な説明に記載された範囲を超えるものであるとはいえないことは、上記４で検討したとおりであるから、特許異議申立人の上記主張は採用できない。
　しかも、そもそも本件明細書の発明の詳細な説明の【００５４】ないし【００７３】には、本件発明１ないし４に相当する実施例１ないし３が記載されており、【００１４】ないし【００３３】には、本件発明１ないし４の（ａ）成分ないし（ｆ）成分に相当する物質の複数の具体例及び好ましい配合量の範囲が記載されていることから、当業者であれば特段の困難を要さずに本件発明１ないし４を実施できるものと認められる。
　よって、本件発明１ないし４についての特許異議申立人の取消理由５には理由がない。
第６　むすび
　以上のとおりであるから、特許異議申立ての理由及び証拠によっては、本件請求項１ないし４に係る特許を取り消すことはできない。
　また、他に本件請求項１ないし４に係る特許を取り消すべき理由を発見しない。
　よって、結論のとおり決定する。
【異議決定日】
平成３０年３月１２日（２０１８．３．１２）